(57)【要約】【課題】優れた布団叩き機能と肩叩きマッサージ機能を兼ね備えた布団叩き器具の提供。【解決手段】この布団叩き１はハンドル２と叩き部材３とを備える。叩き部材３は弾性を有する線材からなり、この弾性を有する線材の中間部が略半円形に折り曲げられてなる先端の弧状線材３１と、この弾性を有する線材の弧状線材３１を挟んで折り返された両側が両端方向に向けて徐々に間隔を狭められて、ハンドル２と略半円形の弧状線材３１との間に延ばされる２つの延出線材３２、３３と、各延出線材３２、３３の両端部で、ハンドル２に結合される固定線材３４、３５とを有する。【選択図】図２
0003156067.tif 000002
【実用新案登録請求の範囲】
【請求項１】
使用者が手で握り持つためのハンドル（２）と、
前記ハンドル（２）に結合され、前記ハンドル（２）の先端に延び、布団を叩くための叩き部材（３）とを備え、
前記叩き部材（３）は弾性を有する線材からなり、前記弾性を有する線材の中間部が略半円形に折り曲げられてなる先端の弧状線材（３１）と、前記弾性を有する線材の前記弧状線材（３１）を挟んで折り返された両側が両端部方向に向けて徐々に間隔を狭められて、前記ハンドル（２）と前記略半円形の弧状線材（３１）との間に延ばされる２つの延出線材（３２）、（３３）と、前記各延出線材（３２）、（３３）の両端部で、前記ハンドル（２）に結合される固定線材（３４）、（３５）とを有する、
ことを特徴とする肩叩きマッサージ機能付き布団叩き器具。
【請求項２】
ハンドル（２）は先端から当該ハンドル（２）の長さ方向に向けて有底筒状の固定溝（２１）が形成され、叩き部材（３）の２つの固定線材（３４）、（３５）は前記固定溝（２１）の中に嵌挿され、長い形の固定用板（４）が前記固定溝（２１）の中に挿し込まれることにより、前記２つの固定線材（３４）、（３５）が前記固定溝（２１）の内壁に圧接されて、前記叩き部材（３）が前記ハンドル（２）に締め付け固定される請求項１に記載の肩叩きマッサージ機能付き布団叩き器具。
【請求項３】
固定溝（２１）は先端の開口（２３）から底面に向けて漸次収縮され、固定用板（４）は一端から他端に向けて漸次収縮され、当該固定用板（４）が細い側の端部から開口（２３）に挿入されて前記固定溝（２１）の中に嵌挿される請求項２に記載の肩叩きマッサージ機能付き布団叩き器具。
【請求項４】
固定溝（２１）は略矩形の断面形状を有し、固定用板（４）は略矩形の断面形状を有し、前記２つの固定線材（３４）、（３５）は前記固定溝（２１）の中に挿入されてそれぞれ前記固定溝（２１）の両側壁面に配置され、この状態から前記固定用板（４）が前記固定溝（２１）の中に挿入されて、前記固定用板（４）の両側面により、前記固定線材（３４）、（３５）がそれぞれ前記固定溝（２１）の両側壁面に圧接される請求項２に記載の肩叩きマッサージ機能付き布団叩き器具。
【請求項５】
固定溝（２１）の底部に当該固定溝（２１）に対して外側に向けて略直角に当該固定溝（２１）に連通する２つの定位穴（２２）が形成され、２つの固定線材（３４）、（３５）は各端部が外側に向けて略直角に折り曲げられて鉤（３６）、（３７）が形成され、前記各鉤（３６）、（３７）が前記各定位穴 （２２）の中に嵌め込まれる請求項２に記載の肩叩きマッサージ機能付き布団叩き器具。
【請求項６】
略半円形の弧状線材（３１）の直径幅（Ｗ２）は固定溝（２１）の開口幅（Ｗ１）よりも大きく、前記直径幅（Ｗ２）は前記開口幅（Ｗ１）の複数倍の寸法を有する請求項２に記載の肩叩きマッサージ機能付き布団叩き器具。
【請求項７】
弾性を有する線材は鋼材線からなり、略半円形の弧状線材（３１）及び２つの延出線材（３２）、（３３）は略感嘆符の形状又は略バットの形状に形成される請求項１に記載の肩叩きマッサージ機能付き布団叩き器具。
【考案の詳細な説明】
【技術分野】
【０００１】
本考案は、布団を叩いてホコリを払うのに使用する所謂「布団叩き」に関するもので、特に、肩叩きマッサージ機能を兼ね備える肩叩きマッサージ機能付き布団叩き器具に関する。
【背景技術】
【０００２】
一般に、人は布団に余計な埃やダニを取り除くために、布団を日差しの下に晒し、太陽の強い光を利用して布団の中の塵を殺菌し、ダニ類や細菌の殺菌を行う。そして、伝統的な「布団叩き」器具を用いて、布団の表面を連続して叩き、布団の中から埃とともにダニや細菌を叩き出す。また、この布団叩きで布団の中の中綿を打つことにより、布団は膨大した後、小さくなって精巧で柔らかい状態となる。従来の布団叩き器具は、例えば特許文献１に記載されているように、線状材料により扇形に形成された叩き部材を持つ器具が多く市販されている。
【先行技術文献】
【特許文献】
【０００３】
【特許文献１】実開平６−２４６６６号公報（段落０００２）
【考案の概要】
【考案が解決しようとする課題】
【０００４】
ところで、従来の布団叩き器具は、木製、藤製、プラスチック製、金属製のものがあり、それぞれに次のような問題がある。
（１）木製の布団叩きの場合、木材の弾性変形能力が小さいため、布団を叩く時に生じる作用力が思っている以上に大きく、布団叩きを持つ手の手首をその震動により傷めることがある。また、木製の場合、近時の木材の原料価格がますます高くなり、製作コストは増加せざるを得ない。さらに、近時の環境保護にも合わない。
（２）藤製の布団叩きの場合、弾性があってとても堅く丈夫であり、しかも木材に比べて形を作りやすいが、この形を作る製造過程中に、藤材の原材料に熱の加工処理を行わなければならないため、この加工処理のときに藤の材料が変形し易い。また、藤製の場合、布団叩きの効果が木材製品のものと変わりなく、しかも製造コストは安くない。
（３）プラスチック製の布団叩きの場合、プラスチック材料が軽いため、その叩き効果を著しく高めようとすると、叩き面の所の重さを増加させる必要があり、あるいは叩き面の面積を拡大して重さを増加させる必要があるが、このような叩き面では埃の揚起を抑えることになり（つまり、埃の逃げ場をなくすことになり）、埃を取り除く効果が低下する。また、プラスチック製の場合、材質が劣化した時に、断ち切れる虞がある。
（４）金属製の布団叩きの場合、叩き面は鋼材線ネットが溶接の方式で連接され、比較的太い鋼材線でスケレトンを支えるようにしているため、叩き面の重さを増やす上、美的効果を達成できるが、叩き面の鋼材線ネットが溶接で連接されるために、伝統的な布団叩きの弾性変形能力が低下してしまい、スケレトンは粗く堅く、布団を叩く時に反作用力が下がり難くなる。しかも、製品の製造に必要な材料は増加して、製品の価格も高くなり、一般的な大衆向けの商品に成り難い。
（５）このように従来の製品では、製造に多くの材料を必要とし、また、重量は重く、弾力性は小さく、組み合わせ（製造）が難しい。さらに、叩いた時の反作用の力が大きいため、腕を痛めやすく、また、叩き面が広すぎると、埃の揚起を抑える（つまり、埃の逃げ場がなくなる）ことにより、埃を取り除く効果が低下することになる。
【０００５】
本考案は、このような従来の課題を解決し、さらに肩、背中、その他体の各部を叩くマッサージ機能を兼ね備えた優れた肩叩きマッサージ機能付き布団叩き器具を提供すること、を目的とする。
【課題を解決するための手段】
【０００６】
上記目的を達成するために、本考案は、一種の肩を叩くマッサージの機能を兼ねてあって「布団叩き」です。
その特徴とするは次の［１］−［７］の事項を含むことにある：
［１］
一は使用者に握り持たせるのハンドル（２）と、もう一はその叩くことに用いる、しかもハンドル（１）と結合したの弾性鋼材線（３）です。その一端には半円の弧状線材（３１）、当該半円アーチ形の線材（３１）の両端から２つ長臂線材の部分（３２）、（３３）を延び出した、そして上述２つ長臂線材の部分（３２）、（３３）を更にもう一方の端に向かって、段々間隔を縮小した後、最後に前記のハンドル（２）と結合するの固定線材の部分（３４）、（３５）を形成する。
［２］
上述［１］の肩を叩くマッサージの機能を兼ねてあっての「布団叩き」、その特徴には：記載のハンドル（２）は一側端からハンドル（２）と同じ方向の軸にむかって形成になり、しかも貫通されていないの固定槽（２１）です。それで、また前記の述べた二つの固定線材段（３４）、（３５）を固定槽（２１）の中に嵌挿して、別に更に長い形の固定用板（４）を固定槽の中に挿し込むして、そして前記２本の固定線材の部分（３４）、（３５）を圧制してきつく締め付けることを実現することができる。
［３］
上述［２］の肩を叩くマッサージの機能を兼ねてあっての「布団叩き」、その特徴には：記載の固定槽（２１）の幅には槽口（２３）から槽底へ漸次収斂します、それで固定槽（２１）と組み合わせた長い形の固定用板（４）の幅も一端から一端へ漸次収斂する、当該長い形の固定用板（４）は幅より小さい一端で槽口（２３）から固定槽（２１）中に挿入するのです。
［４］
上述［２］の背中を叩くマッサージの機能を兼ねてあっての「布団叩き」、その特徴には：記載の固定槽（２１）の断面には矩形を呈する、それで固定槽（２１）と合わせるの長い形の固定用板（４）の断面にも矩形を呈している、そして前記２本の固定線材段（３４）、（３５）を固定槽（２１）の中に挿し入れった後、それぞれ固定槽（２１）の両側端に位する、そして長い形の固定用板（４）には両側端で２本の固定線材の部分（３４）、（３５）を圧制するのです。
［５］
上述［２］の肩を叩くマッサージの機能を兼ねてあっての「布団叩き」、その特徴には：記載の固定槽（２１）の底方には２つ固定槽（２１）と繋がっている、その上、垂に外側向かうのとの定位穴（２２）が備えいる、それで記述した２つ固定線材の部分（３４）、（３５）の底方に曲げて折って外側に向くの逆鉤（３６）、（３７）に形成する、そして前記２つ逆転の鉤（３６）、（３７）が２つの定位穴（２２）の中に嵌め込むことが出来る。これにより、固定された２つ固定線材の部分（３４）、（３５）が固定槽（２１）の中から離れることができません。
［６］
上述［２］の肩を叩くマッサージの機能を兼ねてあっての「布団叩き」、その特徴には：記載の固定槽（２１）の槽口幅（Ｗ１）は半円の弧状線材（３１）の直径幅（Ｗ２）より小さい、また上述の直径幅（Ｗ２）は槽口幅（Ｗ１）の複数倍の倍数である。
［７］
上述［１］の肩を叩くマッサージの機能を兼ねてあっての「布団叩き」、その特徴には：記載の弾性線（３）は鋼材線です、その半円の弧状線材（３１）と２つ長臂線材の部分（３２）、（３３）は感嘆符又はバット形状を形成する。
【考案の効果】
【０００７】
本考案は、上記の各事項（構成）により、次のような効果を奏する。
（上記［１］の効果）
本実用新案の「布団叩き」にはそのハンドル（２）又は叩くことに用いるの弾性鋼材線（３）と結合したのです。そのうちの弾力性鋼材線（３）の半円の弧状線材（３１）と２長臂線材の部分（３２）、（３３）の正面は掛け布団に叩く「布団叩き」として使われて、そしてその横側の側面には人間の頭や体や手足などを軽く叩くことで弾性的なマッサージの機能を達することができ、それによって「布団叩き」は２重の機能を使用ができてることを、更に経済的な付加価値をも持ちます。
（上記［２］の効果）
このハンドル（２）の固定槽（２１）は弾性鋼材線（３）の２つ固定線材段（３４）、（３５）に急速に挿し入れることができる、それで長い形の固定用板（４）も簡単に急速に固定槽（２１）の中に導入することができて、２つ固定線材の部分（３４）、（３５）を固く挟まる、そのため組立てするのは素早いしかも便利で、組み立ての時間を大分節約出来ます。
（上記［３］の効果）
固定槽（２１）の幅には槽口（２３）から槽底へ漸次収斂します、それで長い形の固定用板（４）の幅も一端から一端へ漸次収斂する、このような合わせを通して弾力性線（３）の緩さ度を調整可能です、その上長い形の固定用板（４）が深ければ深くほど挿入したっと、締め付ける効果は更に良くて、また長い形の固定用板（４）の部分を外に露出して、使用者に引き抜くことができます。
（上記［４］の効果）
固定槽（２１）と長い形の固定用板（４）の断面は全て長方形を呈して、そのため２つ固定線材の部分（３４）、（３５）が固定槽（２１）の両側に位して捧げることに別れて、長い形の固定用板（４）の両側方を圧迫に固定され易い、この固定的な実施の効果は断面でいかなる形の方式より良いである。
（上記［５］の効果）
固定槽（２１）の底方の２つの定位穴（２２)が２つ固定線材の部分（３４）、（３５） の底方の逆転の鉤（３６）、（３７）に嵌め込むことが出来って、固定された２つ固定線材の部分（３４）、（３５）が固定槽（２１）の中から離れることができず。故に脱ぐことを防ぎの効果は確かな達成ができる。
（上記［６］の効果）
固定槽（２１）の槽口幅（Ｗ１）は半円の弧状線材（３１）の直径幅（Ｗ２）より小さい、また前記の直径幅 （Ｗ２）は槽口幅（Ｗ１）の複数倍の倍数である。だから半円の弧状線材（３１）は円弧を閉鎖させることを形成して、叩く範囲はわりに大きくて、しかし実際は掛け布団を抑えの面積にはただ1本の弾力性線（３）だけ、それが力点と支点間の距離を与えて力点と支点間の距離を抵抗するより大きくて、使用者に力を入れて強く握る叩く必要はない、さらに至らなくで極端に力を入れるのため筋骨がだるくて痛いことがない。
（上記［７］の効果）
弾性鋼材線（３）は鋼材線で、この鋼材線の弾性が良くて、叩く力が強い、ただそっと叩いてすぐホコリを取り除き効果があり、さらに叩いた時にの反作用の力を吸收することが、使用者の震動傷害を軽減する、または半円の弧状線材（３１）と長い形線材（３２）、（３３）は感嘆符又はバット形状になる。その側叩く時に、長い形線材（３２）、（３３）で体の筋肉を軽く叩いてから、振って打つ疼痛感があることができないです。当該半円の弧状線材（３１）は変形の特性で、緩衝の作用を生じることが出来る、そしてその中長臂線材の部分（３２）或は（３３）が加圧の効果が生える、そして別に長臂線材の部分（３２）或は（３３）は継続的にエナジーを打つ側へ送れて、打つ点に継続的に加圧するのマッサージ効果があった、したがって和らげて筋肉の痛い現象を改善することが出来る。
【図面の簡単な説明】
【０００８】
【図１】本考案の一実施の形態における肩叩きマッサージ機能付き布団叩き器具の正面図
【図２】同肩叩きマッサージ機能付き布団叩き器具の正面断面図
【図３】同肩叩きマッサージ機能付き布団叩き器具の側面図
【図４】同肩叩きマッサージ機能付き布団叩き器具の側面断面図
【図５】同肩叩きマッサージ機能付き布団叩き器具の特にハンドルの断面図（図２のＡ−Ａ線断面図）
【図６】同肩叩きマッサージ機能付き布団叩き器具の特にハンドルと叩き部材との固定状態を示す固定前の一部省略正面断面図
【図７】同肩叩きマッサージ機能付き布団叩き器具の特にハンドルと叩き部材との固定状態を示す固定後の一部省略正面断面図
【図８】同肩叩きマッサージ機能付き布団叩き器具の使用例、特に肩叩きとして使用する場合を示す図
【考案を実施するための形態】
【０００９】
次に、この考案を実施するための形態について図を用いて説明する。図１乃至図５に肩叩きマッサージ機能付き布団叩き器具(以下、単に「布団叩き」という。)の構成を示し、図６及び図７にこの布団叩きの特にハンドルと叩き部材との固定状態を示し、図８にこの布団叩きの使用例、特にこの布団叩きを肩叩きとして使用する場合を示している。
【００１０】
図１に示すように、布団叩き１は、使用者が手で握り持つためのハンドル２と、ハンドル２に結合され、ハンドル２の先端に延び、布団を叩くための叩き部材３とを備えて構成される。
【００１１】
図２乃至図５に示すように、ハンドル２は手に持ちやすい適宜の長さを有する略（円）筒状に形成される。このハンドル２には、先端から当該ハンドル２の長さ方向に向けて有底筒状の固定溝２１が形成される。この場合、固定溝２１は略矩形の断面形状を有し、先端の開口２３から底面に向けて漸次収縮される。また、この固定溝２１の底部には当該固定溝２１に対して外側に向けて略直角に当該固定溝２１に連通する２つの定位穴２２が形成される。
【００１２】
図２乃至図５に示すように、叩き部材３は弾性を有する線材、この場合、（１本の）鋼材線からなり、この鋼材線の中間部を略半円形又は略半円アーチ形に折り曲げられてなる先端の弧状線材３１と、この鋼材線の弧状線材３１を挟んで折り返された両側を両端部方向に向けて徐々に間隔を狭められて、ハンドル２と略半円形の弧状線材３１との間に延ばされる２つの延出線材３２、３３と、各延出線材３２、３３の両端部で、ハンドル２に結合される固定線材３４、３５とを有し、略半円形の弧状線材３１及び２つの延出線材３２、３３が略環形に、この場合、略感嘆符の形状又は略バットの形状に形成される。この場合、略半円形の弧状線材３１の直径幅Ｗ２は固定溝２１の開口幅Ｗ１よりも大きく、直径幅Ｗ２は開口幅Ｗ１の複数倍の寸法を有する。また、この場合、２つの固定線材３４、３５の端部にはそれぞれ、端部側の所定の範囲の部分が外側に向けて略直角に折り曲げられて、鉤３６、３７が形成される。
【００１３】
図６に示すように、叩き部材３の２つの固定線材３４、３５がハンドル２の固定溝２１の中に嵌挿され、さらに、各鉤３６、３７が各定位穴２２の中に嵌め込まれ、長い形の固定用板４が固定溝２１の中に挿し込まれることにより、図７に示すように、２つの固定線材３４、３５が固定溝２１の内壁に圧接されて、叩き部材３がハンドル２に締め付け固定される。この場合、固定用板４は、図６に示すように、ハンドル２の固定溝２１に対応して、略矩形の断面形状を有し、一端から他端に向けて漸次収縮される。２つの固定線材３４、３５が固定溝２１の中に挿入されると、それぞれ固定溝２１の両側壁面に配置され、この状態から固定用板４が細い側の端部から開口２３（の２つの固定線材３４、３５の間）に挿入されて固定溝２１の中に嵌挿される。そして、この固定溝２１の中に固定用板４が嵌挿されると、図７に示すように、固定用板４の両側面により、固定線材３４、３５がそれぞれ固定溝２１の両側壁面に向けて圧接される。
【００１４】
このようにして布団叩き１は形成され、略半円形の弧状線材３１及び２つの延出線材３２、３３からなる略環形の形状部が布団叩き部として、略半円形の弧状線材３１又は２つの延出線材３２、３３の外周部が肩叩き部として構成される。叩き部材３の布団叩き部は弾性鋼材線からなり、略半円形の弧状線材３１及び２つの延出線材３２、３３からなる略環形の形状部になっていることで、弾性に優れ、叩く力が強く、布団を有効に叩くことができる。また、この場合、布団を続けて叩いた時の反作用の力を吸収することができ、使用者が布団を叩くときの震動で手を傷めるようなことがない。また、叩き部材３の肩叩き部は弾性鋼材線からなり、略半円形の弧状線材３１又は２つの延出線材３２、３３の側面が長い形（状）の線材になっていることで、図８に示すように、体の筋肉を軽く叩いても、振って打っても疼痛感がない。このとき、略半円形の弧状線材３１の弾性変形の特性により緩衝作用が生じ、２つの延出線材３２、３３の部分は加圧効果を生じせしめる。
【００１５】
以上説明したように、この布団叩き１では、使用者が手で握り持つためのハンドル２と、ハンドル２に結合され、ハンドル２の先端に延び、布団を叩くための叩き部材３とを備え、叩き部材３が弾性鋼材線からなり、この鋼材線の中間部が略半円形に折り曲げられてなる先端の弧状線材３１と、この鋼材線の弧状線材３１を挟んで折り返された両側が両端方向に向けて徐々に間隔を狭められて、ハンドル２と略半円形の弧状線材３１との間に延ばされる２つの延出線材３２、３３と、各延出線材３２、３３の両端部で、ハンドル２に結合される固定線材３４、３５とを有し、この叩き部材３の弾力性鋼材線からなる略半円形の弧状線材３１及び２つの延出線材３２、３３の正面（略半円形の弧状線材３１及び２つの延出線材３２、３３からなる環形の形状部）を布団叩きとして使用することで、掛け布団などを有効に叩くことができ、また、その横側の側面（略半円形の弧状線材３１又は２つの延出線材３２、３３の外周部の線形状）を肩叩きとして使用し、人間の頭や体や手足などを軽く叩くことで、その程良い弾性力により良好なマッサージ効果を与えることができ、これら２重の機能により、経済的な付加価値を生み出すことができる。
【００１６】
また、この布団叩き１の場合、ハンドル２は先端から当該ハンドル２の長さ方向に向けて有底筒状の固定溝２１が形成され、叩き部材３の２つの固定線材３４、３５が固定溝２１の中に嵌挿されて、長い形の固定用板４が固定溝２１の中に挿し込まれることにより、２つの固定線材３４、３５が固定溝２１の内壁に圧接され、叩き部材３がハンドル２に締め付け固定されるので、弾性鋼材線からなる２つ固定線材３４、３５をハンドル２の固定溝２１に迅速に挿し入れ、固定用板４もまた固定溝２１の中に簡単かつ迅速に導入して、２つの固定線材３４、３５を固定することができる。したがって、これらの組み立てを容易にしかも素早く行うことができ、組み立て時間を大幅に削減することができる。
【００１７】
さらに、この布団叩き１の場合、固定溝２１は先端の開口２３から底面に向けて漸次収縮され、これに対応して固定用板４は一端から他端に向けて漸次収縮されて、当該固定用板４が細い側の端部から開口２３に挿入されて固定溝２１の中に嵌挿されるので、叩き部材（弾力鋼材線）３の緩み度を簡易に調整可能とすることができる。この場合、長い形の固定用板４を固定溝２１に深く挿入すればするほど、締め付ける効果をさらに向上させることができる。また、使用者は、この固定用板４の部分を外に露出させることでこれを引き抜くことができる。
【００１８】
またさらに、この布団叩き１の場合、固定溝２１は略矩形の断面形状を有し、固定用板４もまた略矩形の断面形状を有し、２つの固定線材３４、３５は固定溝２１の中に挿入されてそれぞれ固定溝２１の両側壁面に配置され、この状態から固定用板４が固定溝２１の中に挿入されて、固定用板４の両側面により、固定線材３４、３５がそれぞれ固定溝２１の両側壁面に圧接されるので、固定溝２１と固定用板４の断面は全て長方形を呈し、２つ固定線材３４、３５が各別に固定溝２１の両側に配置され、これら固定線材３４、３５が固定用板４の両側で圧迫固定され、固定線材３４、３５の固定を確実に行うことができる。
【００１９】
またさらに、この布団叩き１の場合、固定溝２１の底部に当該固定溝２１に対して外側に向けて略直角に当該固定溝２１に連通する２つの定位穴２２が形成され、２つの固定線材３４、３５の各端部は外側に向けて略直角に折り曲げられて鉤３６、３７が形成され、各鉤３６、３７が各定位穴２２の中に嵌め込まれるので、固定された２つ固定線材３４、３５が固定溝２１の中から離れることがなく、叩き部材３がハンドル２から離脱するのを確実に防ぐことができる。
【００２０】
またさらに、この布団叩き１の場合、略半円形の弧状線材３１の直径幅Ｗ２は固定溝２１の開口幅Ｗ１よりも大きく、略半円形の弧状線材３１の直径幅Ｗ２を固定溝２１の開口幅Ｗ１の複数倍の寸法にして、略半円形の弧状線材３１の円弧状の閉鎖形状を大きく形成し、叩く範囲を大きくしており、他面で、掛け布団を抑える面積（布団に対する接触面積）はただ1本の弾力性を有する線材の面積分だけであり、併せて叩き部材３の力点と支点との間に必要十分な距離が与えられてこの力点と支点との間に適度の柔軟性を有するので、使用者はこの布団叩き１の使用に当たり、力を入れて握り強く叩く必要がなく、また、極端な力の入れすぎで筋骨がだるくなったり痛くなったりすることがない。
【００２１】
またさらに、この布団叩き１の場合、弾性を有する線材に鋼材線が採用され、略半円形の弧状線材３１及び２つの延出線材３２、３３が略感嘆符の形状又は略バットの形状に形成されるので、この叩き部材３の弾性が良く、叩く力が強く、ただそっと叩くだけもすぐに埃を取り除く効果があり、さらに続けて叩いた時の反作用の力を吸収することができ、使用者は布団叩きの震動が軽減され手を傷めるようなことがない。また、略半円形の弧状線材３１又は２つの延出線材３２、３３の側面が長い形の線材で体の筋肉を軽く叩いても、振って打っても疼痛感がない。このとき、略半円形の弧状線材３１の弾性変形の特性により、緩衝作用が生じ、２つの延出線材３２、３３のいずれかの部分で加圧作用を生じせしめる。そして、これら延出線材３２、３３の部分は体の打ったところへ継続的な力を加え、打ったところを継続的に加圧するマッサージ効果がある。したがって筋肉を和らげて筋肉の痛い症状を改善することができる。
【００２２】
以上、本考案の特徴とする構造及び作用効果について、図面に示す好ましい実施の形態に基づいて説明したが、当業者であれば、本考案の思想を逸脱することなく容易に各種の変更、改変し得ることは明らかであり、本考案はそのような変更例も含むものである。
【符号の説明】
【００２３】
１  肩叩きマッサージ機能付き布団叩き器具（布団叩き）
２  ハンドル
２１  固定溝
２２  定位穴
２３  開口
３  叩き部材
３１  （略半円形又は略半円アーチ形の）弧状線材
３２、３３  延出線材
３４、３５  固定用線材
３６、３７  鉤
４  固定用板
【図１】
0003156067.tif 000003
【図２】
0003156067.tif 000004
【図３】
0003156067.tif 000005
【図４】
0003156067.tif 000006
【図５】
0003156067.tif 000007
【図６】
0003156067.tif 000008
【図７】
0003156067.tif 000009
【図８】
0003156067.tif 000010